(57)【特許請求の範囲】
【請求項１】
本体ケースと、
この本体ケース内にそれぞれ配設され、それぞれ複数個の記録媒体を保管可能なマガジンを有する前部保管部および後部保管部と、
これら前部保管部および後部保管部の間に設けられるとともにこれら前部保管部および後部保管部から外れた退避位置に移動可能に設けられ、これら保管部の間の各マガジンとの間で前記記録媒体を任意に移載する移載機構と、
この移載機構を前記各マガジンとの任意の移載位置および各マガジンから外れた退避位置に移動させる駆動機構と、
前記保管部を前記本体ケースの前後方向に沿って、前記本体ケース内の所定位置と、前記マガジンを前部保管部および後部保管部の中間部まで移動させ側方に移動させて取り出し挿入可能な引出位置との間で移動させる引出機構と
を具備したことを特徴とする記録媒体の保管装置。
【請求項２】
保管部を本体ケース内の所定位置に係止するとともに、この係止を任意に解除可能なロック機構と、
移載機構を前部保管部および後部保管部から外れた退避位置に移動させ、次に、係止を解除しロック解除するコンピュータと
を具備したことを特徴とする請求項１記載の記録媒体の保管装置。
【発明の詳細な説明】
【０００１】
【発明の属する技術分野】
本発明は、記録媒体を複数個保管可能なマガジンを有し、これら記録媒体を各マガジン内の任意の位置に挿入および引き出す記録媒体の保管装置に関する。
【０００２】
【従来の技術】
従来、磁気的あるいは光学的に情報を記録した多数の記録媒体をマガジン内に段積み状態で保管し、これら記録媒体をマガジン内の任意の位置に対して挿入および引き出しできる装置として、たとえばディスクチェンジャ装置がある。
【０００３】
このディスクチェンジャ装置は、記録媒体であるＣＤあるいはＤＶＤなどのディスクをマガジン内に多数を保管し、これらディスクに対して磁気的あるいは光学的に情報を記録再生するドライブ装置を設け、このドライブ装置に対してマガジン内のディスクを装着したり、ドライブ装置から取り出したディスクをマガジン内に挿入している。
【０００４】
このようなディスクチェンジャ装置の代表的な構造を、図１３および図１４を参照して説明する。
【０００５】
これら図１３および図１４において、11は本体ケースで、この本体ケース11内の前後には、記録媒体であるディスク12をそれぞれ段積み状態で保管可能な前部保管部13および後部保管部14が配置されている。また、これら前部保管部13と後部保管部14との間には移載機構15が昇降可能に設けられ、この移載機構15は、ディスク12を前部保管部13および後部保管部14との間で任意に移載するもので、昇降駆動機構16によって任意の移載位置、すなわち任意の高さに移動される。
【０００６】
また、前部保管部13の上方にはディスク12の出入機構17が設けられ、この出入機構17は、本体ケース11の天井面11a に装着された支持プレート18に取り付けられており、外部に対して引出可能に構成された出入用のトレイ19を有しており、この出入用のトレイ19により、外部と移載機構15との間でディスク12の移載を行なっている。さらに、後部保管部14の下方には、ディスク12に対する磁気的あるいは光学的な記録、再生するドライブ機構20が複数台としてたとえば４台段積み状態で設置されている。そして、これらドライブ機構20はそれぞれドライブ用のトレイ21を有しており、移載機構15との間でディスク12を移載する。
【０００７】
ここで、移載機構15は縦方向に配置された２本のレール23により昇降可能に案内支持されており、これら２本のレール23は、図１４に示すように、本体ケース11内の左内側面に寄せて配置されており、上端部と下端部をレールプレート24に取り付けられている。また、昇降駆動機構16は、上下方向に掛け渡されたタイミングベルト25を有しており、このタイミングベルト25に固定された移載機構15を上下方向に駆動する。このタイミングベルト25は、レールプレート24の上部側にかしめられたプーリ軸26に軸支されている上部プーリ27と、図１４で示すように、レールプレート24の下部側にかしめられたプーリ軸30a に軸支され、昇降駆動モータ28によりウオームギア29を介して回転駆動されるタイミングプーリ30とに掛け渡されている。
【０００８】
また、前部保管部13は、本体ケース11の底面11b 上に一体的に設けられた左右一対のフロントシャーシ32を有し、このフロントシャーシ32内はトッププレート33およびマガジンテーブル34により複数段に仕切られ、各段内にはマガジン35がそれぞれ設けられている。そして、ディスク12は図８および図９に示すような形状のマガジントレイ36に載せられており、マガジン35は、このようなマガジントレイ36に載せられた多数のディスク12を段積み状態で保管する。また、このマガジン35の前面には、図１４で示すように取手37が設けられており、本体ケース11のフロントドア38を開くことにより、マガジン35を外部に引き出す。
【０００９】
さらに、後部保管部14は、同様に本体ケース11の底面11b 上に一体的に設けられた左右一対のリアシャーシ40を有し、このリアシャーシ40内には、左右一対となって固定されている棚状のラック41が設けられており、このラック41の各段にマガジントレイ36に載せられたディスク12が１枚ずつ収納される。
【００１０】
このような構成において、ディスク12を１枚ずつ挿入する場合は、まず、出入機構17から出入用のトレイ19を外部に引き出し、この出入用のトレイ19上にディスク12を載せた後、トレイ19を出入機構17内に押し込む。この操作に連動して昇降駆動機構16の昇降駆動モータ28が動作し、ウオームギア29およびタイミングプーリ30を介してタイミングベルト25を回転させ、移載機構15を出入用のトレイ19と同じ高さ位置まで上昇させる。そして、移載機構15は出入用のトレイ19上のディスク12を掴んでこのディスク12を移載機構15側に取り込む。
【００１１】
この動作の後、移載機構15は操作命令の内容に応じて次の２つの受け渡し動作する。
【００１２】
まず、第１の動作としては、ディスク12をドライブ機構20との間で受け渡す場合である。この場合、ドライブ機構20への受け渡し命令に応じて、指定された空のドライブ機構20からドライブ用のトレイ21が引き出されるので、移載機構15はこの引き出されたドライブ用のトレイ21の真上に移動し、このドライブ用のトレイ21上にディスク12を渡す。この後、ドライブ用のトレイ21はドライブ機構20内に引き込まれ、ディスク12に対する情報が記録または再生される。なお、ドライブ機構20からディスク12を受ける場合は反対の動作となる。
【００１３】
これに対し、第２の動作としては、移載機構15とマガジン35またはラック41との間でディスク12を受け渡す場合である。まず、渡す場合、ディスク12を取り込んだ移載機構15は、命令により指定された前方のマガジン35あるいは後方のラック41の空のマガジントレイ36の位置まで移動し、この空のマガジントレイ36にディスク12を渡す。そして、この移載機構15により、この第２の動作を繰り返すことにより、複数枚のディスク12を本体ケース11内の対応するマガジン35あるいはラック41のマガジントレイ36内に順次収納できる。なお、マガジン35やラック41からディスク12を受ける場合は、反対の動作になる。
【００１４】
これらの動作は、ディスク12を１枚ずつ取り扱う場合であるが、本体ケース11に対して一度に多数のディスク12を挿入、排出あるいは交換する場合は、このような出入機構17による１枚ずつのデイスク12の取り扱いでは、多くの時間と労力がかかってしまい煩雑である。そこで、マガジントレイ36を複数枚収納しているマガジン35自体を本体ケース11から引き出し、本体ケース11の外部でまとめてディスク12を挿入、排出あるいは交換してからこのマガジン35を再び本体ケース11内に挿入することが考えられる。すなわち、フロントドア38を開くことにより、図１４で示すように、本体ケース11の前部に装着されているマガジン35を、本体ケース11に対して出し入れできる。
【００１５】
このように、図１３および図１４の構成では、本体ケース11の前部に位置するマガジン35については、本体ケース11に対して出し入れできるが、後部に位置するラック41は固定されているため、このラック41を出し入れできない。このため、このラック41のマガジントレイ36に対するディスク12の受け渡しは、出入機構17を介して１枚ずつ行なわなければならず、多数のディスク12を挿入、排出あるいは交換する場合、多くの時間と労力かかり大変である。
【００１６】
一方、図１５で示す従来の保管装置は、本体ケース11内の前後にディスク12をそれぞれ保管する前部保管部13と後部保管部14およびドライブ機構20とが配置され、これら前部保管部13と後部保管部14およびドライブ機構20との間に移載機構15を昇降駆動機構16によって昇降可能に設けた基本的な構成は同じであるが、本体ケース11の一側面、すなわち昇降駆動機構16が設けられていない右側面に、観音開き状に開閉するサイドドア42が設けられている。また、前部保管部13および後部保管部14となるマガジン43，44は、それぞれ右方に対して引出し可能に構成されている。
【００１７】
このように構成すると、一度に多数のディスク12を挿入、排出あるいは交換する場合は、本体ケース11の側面に設けられたサイドドア42を開くことにより、本体ケース11の前後に位置するマガジン43，44を外部に引き出すことができるので、後部のマガジン44についてもマガジン単位でのディスク12を挿入、排出あるいは交換することができ、作業時間が短縮化されるとともに作業性も向上する。
【００１８】
しかしながら、観音開き状のサイドドア42は、大きな開閉スペースを必要とするため、装置の設置場所に制約を受けてしまう。また、サイドドア42が設けられた側面側を壁に付けることは不可能であり、さらに、他の装置をサイドドア42側に位置させることもできず、設置場所も制限される。
【００１９】
また、この種のディスクチェンジャ装置は机などの下の空間に設置されることが多々あるが、サイドドア42を設けた構成では、マガジン43，44の交換時に、作業者は机の下に潜るか、あるいは、本体ケース11を机の下から引き出し、側面を露出させてサイドドア42を開け、交換作業をしなければならない。しかし、本体ケース11の背面には、図示しないがデータをやり取りするためのケーブル類や電源ケーブルなどが接続されており、無闇に装置本体を動かすと、これらのケーブル類が外れる可能性が高くなり、装置やデータの保護の点から好ましくない。
【００２０】
【発明が解決しようとする課題】
このように、一度に多数のディスク12を挿入、排出あるいは交換したい場合、本体ケース11のフロントドア38を開けて作業する構造では、本体ケース11の前部保管部13についてはマガジン35単位で交換することができるが、後部保管部14ではマガジン35単位の交換ができず、多くの時間と労力を要した。また、本体ケース11のサイドドア42を開けて作業する構造では、前部保管部13および後部保管部14とともにマガジン35単位で交換することができるが、設置場所に大きな制約を受けてしまい、取扱性や装置保護の点から問題を有している。
【００２１】
本発明は、上記問題点に鑑みなされたもので、設置場所に制約を受けることなく、作業性が大幅に向上し、任意の場所への設置が可能となる記録媒体の保管装置を提供することを目的とする。
【００２２】
【課題を解決するための手段】
請求項１記載の記録媒体の保管装置は、本体ケースと、この本体ケース内にそれぞれ配設され、それぞれ複数個の記録媒体を保管可能なマガジンを有する前部保管部および後部保管部と、これら前部保管部および後部保管部の間に設けられるとともにこれら前部保管部および後部保管部から外れた退避位置に移動可能に設けられ、これら保管部の間の各マガジンとの間で前記記録媒体を任意に移載する移載機構と、この移載機構を前記各マガジンとの任意の移載位置および各マガジンから外れた退避位置に移動させる駆動機構と、前記保管部を前記本体ケースの前後方向に沿って、前記本体ケース内の所定位置と、前記マガジンを前部保管部および後部保管部の中間部まで移動させ側方に移動させて取り出し挿入可能な引出位置との間で移動させる引出機構とを具備したものである。そして、駆動機構により移載機構を退避位置に移動させた後、引出機構により保管部を本体ケース外に引き出すことができ、それぞれマガジン単位で交換する。
【００２３】
請求項２記載の記録媒体の保管装置は、請求項１記載の記録媒体の保管装置において、保管部を本体ケース内の所定位置に係止するとともに、この係止を任意に解除可能なロック機構と、移載機構を前部保管部および後部保管部から外れた退避位置に移動させ、次に、係止を解除しロック解除するコンピュータとを具備するものである。そして、ロック機構により、保管部を本体ケース内の所定位置に係止し、引き出し時にはこの係止を任意に解除する。
【００２４】
【発明の実施の形態】
以下、本発明の記録媒体の保管装置の一実施の形態を図１ないし図３に示すディスクチェンジャを参照して説明する。なお、図１３および図１４で示した従来の保管装置と対応する部分には同一符号を付して説明する。
【００２５】
図に示すように、本体ケース11を有しており、この本体ケース11内の前後には記録媒体であるディスク12をそれぞれ段積み状態で保管する前部保管部13および後部保管部14が配置され、これら前部保管部13および後部保管部14の間には移載機構15が昇降駆動機構16によって昇降可能に設けられ、移載機構15は、ディスク12を前部保管部13および後部保管部14との間で任意に移載するもので、昇降駆動機構16によって任意の移載位置、すなわち任意の高さに移動される。
【００２６】
また、前部保管部13の上方にはディスク12の出入機構17が設けられ、この出入機構17は、本体ケース11の天井面11a に装着された支持プレート18に取り付けられており、外部に対して引出可能に構成された出入用のトレイ19を有しており、この出入用のトレイ19により、外部と移載機構15との間でディスク12の移載を行なっている。さらに、後部保管部14の下方には、ディスク12に対する磁気的あるいは光学的に記録、再生するドライブ機構20が複数台としてたとえば４台段積み状態で設置されている。そして、これらドライブ機構20はそれぞれドライブ用のトレイ21を有しており、移載機構15との間でディスク12を移載する。
【００２７】
ここで、移載機構15は縦方向に配置された２本のレール23により昇降可能に案内支持されており、これら２本のレール23は、図２に示すように、本体ケース11内の左内側面に寄せて配置されており、上端部と下端部をレールプレート24に取り付けられている。このレールプレート24は本体ケース11の底面11a に一体に取り付けられている。また、昇降駆動機構16は、上下方向に掛け渡されたタイミングベルト25を有しており、このタイミングベルト25に固定された移載機構15を上下方向に駆動する。このタイミングベルト25は、レールプレート24の上部側にかしめられたプーリ軸26に軸支されている上部プーリ27と、図２および図３で示すように、レールプレート24の下部側にかしめられたプーリ軸30a に軸支され、昇降駆動モータ28によりウオームギア29を介して回転駆動されるタイミングプーリ30とに掛け渡されている。
【００２８】
そして、本体ケース11の底面11b 上には、前部保管部13および後部保管部14を本体ケース11の前後方向に沿って案内し、移動させる引出機構50が設けられ、この引出機構50は、本体ケース11の前後方向に沿って設けられた左右一対の固定側スライドレール51を有する。これら固定側スライドレール51は、図３で示すように、断面Ｃ字形を成し、Ｃ字の開溝が互いに対向するように配置され、本体ケース11の底面11b 上に支持プレート52を介して一対に取り付けられている。
【００２９】
また、これら各固定側スライドレール51のＣ字断面内には、そのほぼ全長に渡る長さの可動側スライドレ−ル53が、長さ方向に沿ってスライド可能に保持されている。
【００３０】
さらに、前部保管部13は左右一対のフロントシャーシ55を有し、これら各フロントシャーシ55の下端部は、それぞれホルダ56を介して可動側スライドレール53に一体的に結合している。また、これらフロントシャーシ55間は、図１および図３で示すように、トッププレート57およびマガジンテーブル58によって複数段、たとえば３段に仕切られており、各段内には図６および図７で示すマガジン59がそれぞれ設けられている。
【００３１】
ここで、ディスク12は従来と同様に、図８および図９で示すような形状のマガジントレイ36に載せられており、マガジン59はこのようなマガジントレイ36に載せられた多数のディスク12を段積み状態で保管する。すなわち、マガジン59の左右にはマガジントレイ36の左右縁部を係合保持するマガジンラック60が設けられ、また、後部にはマガジントレイ36の後部に形成された凹部を係合保持する後部ラック61およびトレイホールドばね62が設けられており、ディスク12を１枚ずつ載せたマガジントレイ36を各ラック60，61の各段に保管する。
【００３２】
なお、マガジン59の両外側面には引出操作用の取手63がそれぞれ設けられている。また、フロントシャーシ55の前面部には、フロントケース64が一体的に取り付けられている。
【００３３】
また、後部保管部14も、左右一対のリアシャーシ65を有しており、これら各リアシャーシ65の下端部は、フロントシャーシ55と同様にそれぞれホルダ56を介して可動側スライドレール53に一体的に結合している。また、これらリアシャーシ65間も、フロントシャーシ55と同様に、トッププレート57およびマガジンテーブル58によって複数段、たとえば２段に仕切られており、各段内には図６で示すマガジン59がそれぞれ設けられている。このマガジン59はフロントシャーシ55間に設けられたものと同じものであるが、ディスク12の出入れ面が互いに対向するように設置されている。
【００３４】
また、このリアシャーシ65内の下部には、ドライブ機構20も配置されているが、このドライブ機構20は、図３で示すように、リアシャーシ65とは別のドライブホルダ66により、本体ケース11の底面11b 上に固定して取り付けられている。
【００３５】
なお、前部保管部13の上方には、ディスク12の出入機構17を支持するため、本体ケース11の天井面11a に装着された支持プレート18が取り付けられており、その下面はフロントシャーシ55の上端部に近接して配置されている。この支持プレート18と同様に図１で示すように、後部保管部14の上方にも設け、下面をリアシャーシ65の上端部に近接して配置する。
【００３６】
これら前後に配置された支持プレート18，18の下面には、図２で示すように、左右一対のガイドローラ68が、それぞれ前後に２列、合計８個設けられている。これらガイドローラ68は、図２および図３で示すように、それぞれフロントシャーシ55およびリアシャーシ65の上部内側面に接するように配置されており、前部保管部13および後部保管部14の移動時、ガイドし、左右のガタを止める。
【００３７】
これらガイドローラ68は、支持プレート18，18の下面に取り付けられたローラプレート69にローラホルダ70を介して取り付けられている。このローラホルダ70は、図１２で示すように、アーム状で基端側はローラプレート69にかしめられたホルダ軸71によって回動可能に支持されている。また、先端側にはローラ軸72がかしめられており、ガイドローラ68はこのローラ軸72に回転自在に取り付けられている。さらに、ローラホルダ70はホルダ軸71に巻き付けられたローラばね73により、ガイドローラ68が、フロントシャーシ55またはリアシャーシ65の内側面と圧接するように外側への作用力を受けている。
【００３８】
また、前部保管部13の下方には図１および図３で示すようにロック機構75が設けられている。このロック機構75は、本体ケース11の底面11b 上と前部保管部13の最下部に設けられたマガジンテーブル58の下面との間に構成され、前部保管部13および後部保管部14を本体ケース11内の所定位置に係止するとともに、この係止を任意に解除できるように構成されている。すなわち、マガジンテーブル58側には、図１０および図１１で示すように、下面に下方に向かって突出するストッパ軸76がかしめられており、本体ケース11側にはこのストッパ軸76と係脱可能なラッチ77が設けられている。
【００３９】
さらに、本体ケース11の底面11b 上にはロックテーブル78が固定して取り付けられており、ラッチ77はこのロックテーブル78上にかしめられたラッチ軸79によって回動可能に支持されている。このラッチ77はストッパ軸76に対する係止部77a を有しており、ラッチばね80により、常時ストッパ軸76との反時計回りの係合方向に作用力を受けている。また、このラッチ77の左側辺部には、係合解除部77b が下方に向かって折り曲げ形成されている。
【００４０】
また、ラッチ77の係合解除機構は、ロックテーブル78の側面に一体に取り付けられたギアプレート82上に構成されている。すなわち、ギアプレート82上には２本のギア軸83がかしめられており、互いに噛合う第１のギア84および第２のギア85が回転自在に嵌込まれており、Ｅリング86によってそれぞれ抜け止めされている。また、ギアプレート82の前方には解除用モータ87が設けられており、その回転軸に圧入されたウオームギア88が第１のギア84と噛合っており、回転により第１のギア84及び第２のギア85を回転駆動する。
【００４１】
第２のギア85の上面には係合解除用のボス89が、また、下面には停止位置検出用のリブ90がそれぞれ一体に設けられている。ボス89は第２のギア85の回転により、ラッチ77の係合解除部77b と当接し、ラッチ77をストッパ軸76との時計回りの係合解除方向に回動させる。また、リブ90に対しては、ギアプレート82に取り付けられた基板91上のセンサ92が対向配置され、このセンサ92は第２のギア85の回転に伴うリブ90の通過を感知するもので、この第２のギア85が所定の角度、すなわちラッチ77がストッパ軸76から外れる角度まで回動したことを検出し、解除用モータ87を停止制御する。
【００４２】
また、ロックテーブル78上には、ラッチ77とストッパ軸76とのロック状態が解除された瞬間に、可動側スライドレール53およびこの可動側スライドレール53に結合された前部保管部13および後部保管部14を、ある程度前方に移動させるイジェクト機構が構成されている。すなわち、ロックテーブル78の裏面にはイジェクトプレート93が、前後方向に沿ってスムースにスライドできる状態で保持されており、後端部を上方に折曲げて形成された係合部93a は、マガジンテーブル58の下方への折曲げ部58a の後面と係合している。このイジェクトプレート93は、ロックテーブル78の前部との間に張設されたイジェクトばね94により、常時前方への作用力を受けている。
【００４３】
また、このイジェクトプレート93の後面と対向するロックテーブル78側には、クッション材95を設けており、後方にスライドさせてストッパ軸76をラッチ77に係合させるときの衝撃を和らげる。
【００４４】
次に、上記実施の形態の動作について説明する。
【００４５】
まず、ディスク12を１枚ずつ挿入、排出あるいは交換する場合は、出入機構17を用いて、外部と移載機構15との間でディスク12をやり取りし、また、移載機構15を用いて移載機構15と前後の各マガジン59あるいはドライブ機構20との間でディスク12をやり取りする。
【００４６】
これらの動作はディスク12を１枚ずつ取り扱う場合であるが、本体ケース11に対して一度に多数のディスク12を挿入、排出あるいは交換する場合は、前部保管部13および後部保管部14を本体ケース11の外部に引き出し、マガジン59単位で交換する。
【００４７】
この場合、まず、記録媒体の保管装置の動作を管理している図示しないコンピュータからロック解除命令がなされると、昇降駆動機構16の昇降駆動モータ28が動作し、ウオームギア29、タイミングプーリ30を介してタイミングベルト25に固定されている移載機構15を、出入機構17との対向位置、すなわち前部保管部13および後部保管部14から外れた退避位置に移動させる。
【００４８】
次に、ロック機構75の解除用モータ87が動作し、ウオームギア88、第１のギア84を介して第２のギア85を回動させる。この回動は、リブ90がセンサ92を遮光するまで継続する。このため、ボス89がラッチ77の係合解除部77b に当接して図１０の左方に押圧し、ラッチ77をラッチばね80の作用力に抗してラッチ軸79を中心に時計回りに回動させ、係止部77a によるストッパ軸76の係止を解除する。
【００４９】
このとき、ストッパ軸76が設けられているマガジンテーブル58は、このマガジンテーブル58の折曲げ部58a を介してイジェクトプレート93の係合部93a と係合しており、このイジェクトプレート93はイジェクトばね94により前方への作用力を受けているため、ラッチ77がストッパ軸76から外れたことにより、このイジェクトばね94の引張力により、マガジンテーブル58はある程度前方に移動する。すなわち、ラッチ77による係止状態から確実に解除された状態となる。
【００５０】
ここで、マガジンテーブル58はフロントシャーシ55とともに可動側スライドレール53に結合されており、この可動側スライドレール53にはリアシャーシ65も結合されていることから、前部保管部13および後部保管部14はともにロック解除される。
【００５１】
この後は、手動により外部に引き出すと、可動側スライドレール53と固定側スライドレール51とのスライドにより、前部保管部13および後部保管部14は本体ケース11の前方に移動し、これら前部保管部13および後部保管部14の全てのマガジン59を外部に取り出せる位置にて停止する。この停止位置としては、たとえば図４および図５で示す引出位置とする。
【００５２】
この図４および図５で示す位置まで前部保管部13および後部保管部14を引き出せば、図５において矢印で示すように、取手63を掴んで各マガジン59を前部保管部13および後部保管部14からそれらの中間部まで移動させ、その後、側方に移動させることにより、全てのマガジン59を外部に取り出し、挿入できる。したがって、本体ケース11の周囲の妨害物の少ない方向を選んでマガジン59を取り扱うことができる。
【００５３】
一方、前部保管部13および後部保管部14を本体ケース11内に戻す場合は、フロントケース64を本体ケース11内に手動で押し込めばよい。この操作により、可動側スライドレール53と固定側スライドレール51とが相互にスライドし、前部保管部13および後部保管部14を本体ケース11内に移動させる。また、このとき、前部保管部13および後部保管部14の上部においては、本体ケース11内の上部に設けた左右のガイドローラ68がリアシャーシ65およびフロントシャーシ55の上部内側面に順次圧接し、転動しながらガイドするので、スムースに挿入できる。
【００５４】
この挿入操作により、図１０および図１１で示したマガジンテーブル58の折曲げ部58a がイジェクトプレート93の係合部93a に当接すると、イジェクトプレート93はイジェクトばね94の引張力に抗してさらに押し込まれる。このとき、マガジンテーブル58にかしめられているストッパ軸76がラッチ77の前側傾斜辺部と当接して、このラッチ77をラッチばね80の作用力に抗して時計回りに回動させながら係合係止部77a 内に係合するので、ストッパ軸76はラッチ77によって係止される。この結果、前部保管部13および後部保管部14は、ロック機構75により、本体ケース11内の所定位置に係止される。
【００５５】
なお、上記一実施の形態では、保管対象の記録媒体として、ＣＤやＤＶＤなどのディスク12を示したが、これらに限定されるものではなく、裸ディスクを収納しているＭＯやＰＤあるいはＤＶＤ−ＲＡＭのようなカートリッジやＤＡＴや８ｍｍテープのようなものでも十分に適用可能である。
【００５６】
【発明の効果】
請求項１記載の記録媒体の保管装置によれば、駆動機構により移載機構を退避位置に移動させた後、引出機構により保管部を本体ケース外に引き出すことができ、それぞれマガジン単位で交換できるため、多数の記録媒体を保管するマガジン単位での挿入、排出あるいは交換を、収納された全てのマガジンについてできるので、一度に多くの記録媒体を短時間の内に少ない労力で取扱うことができ、本体ケースの周囲の妨害物の少ない方向を選んで作業できるので、装置の設置場所が限定されることはなく、装置の移動も要しないなど、取り扱いも容易にできる。
【００５７】
請求項２記載の記録媒体の保管装置によれば、請求項１記載の記録媒体の保管装置に加え、保管部を本体ケース内の所定位置に係止するとともに、この係止を任意に解除可能なロック機構により、保管部を本体ケース内の所定位置に係止し、引き出し時にはこの係止を任意に解除でき、取り扱いをより容易にできる。
【図面の簡単な説明】
【図１】本発明の記録媒体の保管装置の一実施の形態を示す側面図である。
【図２】同上平面図である。
【図３】同上正面図である。
【図４】同上引出状態を示す側面図である。
【図５】同上引出状態を示す平面図である。
【図６】同上マガジンの構成を示す平面図である。
【図７】同上マガジンの構成を示す正面図である。
【図８】同上マガジントレイの構成を示す平面図である。
【図９】同上マガジントレイの構成を示す正面図である。
【図１０】同上ロック機構の構成を拡大して示す平面図である。
【図１１】同上ロック機構の構成を拡大して示す正面図である。
【図１２】同上ガイドローラ部分を拡大して示す平面図である。
【図１３】従来例の保管装置を示す側面図である。
【図１４】同上平面図である。
【図１５】同上他の従来例の保管装置を示す側面図である。
【符号の説明】
11    本体ケース
12    記録媒体としてのディスク
13    前部保管部
14    後部保管部
15    移載機構
16    昇降駆動機構
50    引出機構
59    マガジン
75    ロック機構
【図１】
0003760024.tif 000002
【図２】
0003760024.tif 000003
【図３】
0003760024.tif 000004
【図４】
0003760024.tif 000005
【図５】
0003760024.tif 000006
【図６】
0003760024.tif 000007
【図７】
0003760024.tif 000008
【図８】
0003760024.tif 000009
【図９】
0003760024.tif 000010
【図１０】
0003760024.tif 000011
【図１１】
0003760024.tif 000012
【図１２】
0003760024.tif 000013
【図１３】
0003760024.tif 000014
【図１４】
0003760024.tif 000015
【図１５】
0003760024.tif 000016